(57)【要約】      （修正有）【課題】組立が容易であり、魚礁を設置した海底部分が傾斜し、磯などで起伏し凹凸していても、底部枠材を海底部分に確実に碇着することができ、安定した状態で設置することができる魚礁ブロックを提供する。【解決手段】単体の魚礁ブロック１０が、隣り合う底部枠材を連結するため底部枠材の外側に設けた横連結枠部２と、底部枠材の内側から頂部に向かって立ち上がる合掌枠材６と、前記合掌枠材６の頂部に設けた頂部連結枠部７とからなり、隣り合う底部枠材の横連結枠部２を互いに屈曲継手部材４によって連結すると共に、頂部連結枠部７に他の魚礁ブロック１０の底部枠材の横連結枠部２を屈曲継手部材４によって連結するようにした屈曲可能に連結可能な魚礁ブロック。【選択図】図７
0003181559.tif 000002
【実用新案登録請求の範囲】
【請求項１】
単体の魚礁ブロックが、底部を取り囲む底部枠材と、隣り合う底部枠材を連結するため底部枠材の外側に設けた横連結枠部と、底部枠材の内側から頂部に向かって立ち上がる３本以上からなる合掌枠材と、前記合掌枠材の頂部に設けた頂部連結枠部とからなり、複数の魚礁ブロックが、隣り合う底部枠材の横連結枠部を互いに屈曲継手部材によって連結すると共に、頂部連結枠部に他の魚礁ブロックの底部枠材の横連結枠部を屈曲継手部材によって連結してなる屈曲可能に転結可能な魚礁ブロック。
【請求項２】
請求項１に記載の魚礁ブロックにおいて、互いに平行する２軸を中心に屈曲可能な連結軸を有する屈曲継手部材によって連結してなる屈曲可能に転結可能な魚礁ブロック。
【請求項３】
請求項１又は２に記載の魚礁ブロックにおいて、互いに直行する２軸を中心に屈曲可能な連結軸を有する屈曲継手部材によって連結してなる屈曲可能に転結可能な魚礁ブロック。
【請求項４】
請求項１、２又は３に記載の魚礁ブロックにおいて、複数単位の魚礁ブロックを底部枠材を重ね合わせて積むことができるようにした屈曲可能に転結可能な魚礁ブロック。
【請求項５】
請求項１乃至４のいずれかに記載の魚礁ブロックにおいて、一単位の魚礁ブロックの底部枠材が四角形状からなり、底部枠材の４角部に、合掌枠材と横連結枠部を有する屈曲可能に転結可能な魚礁ブロック。
【請求項６】
請求項１乃至５のいずれかに記載の魚礁ブロックにおいて、魚礁ブロックの底部枠材、合掌枠材、横連結枠部及び頂部連結枠部が鉄骨からなる屈曲可能に転結可能な魚礁ブロック。
【考案の詳細な説明】
【技術分野】
【０００１】
本考案は、魚礁ブロックに関する。
【背景技術】
【０００２】
従来、骨材を接合プレートで強固に連結し、複雑な多面体構造体を多数接合した魚礁ブロックは特許文献１に記載されているように知られている。また、コンクリート製の四角形状の壁を４面に有する強固な立方体から成る魚礁ブロックは特許文献２に記載されているように知られている。また、特許文献３には、方形状の基礎材と４枚の梯形状のパネル板とにより空洞を形成させ、その空洞へ浚渫土砂及び又はコンクリート塊、雑割石・中割石とコンクリート（生コン）を少なくとも投入するための方形状孔を形成させた四角錘形状の魚礁ブロックが記載されている。
【先行技術文献】
【特許文献】
【０００３】
【特許文献１】特開平７−７５号公報
【特許文献２】特開２０００−３５０５３３号公報
【特許文献３】特開２００６−２５４８４０号公報
【考案の概要】
【考案が解決しようとする課題】
【０００４】
前掲のように、従来の魚礁ブロックは、単体において強固な構造を有すると共に、複数個を強固に連結固定する構造体からなり、平らな海底に設置することを前提としている。しかし、現実の海底は平らではなく、凹凸や傾斜があったり、海草や磯のような物があるから、従来のほぼ水平で平らな海底に設置する魚礁の構造では、海底との接地部分が少なくなり、流され易く、海底の傾斜や凹凸、潮流等に対応できない課題があった。
【０００５】
また、従来のものは、単体の魚礁ブロックを工場などで組み立てて運搬する際に、魚礁ブロックを多数積み重ねて効率よくトラックなどに積んで運ぶことが困難な構造であった。
【課題を解決するための手段】
【０００６】
そこで、本考案は、実用新案登録請求の範囲の請求項１に記載のように、単体の魚礁ブロックが、底部を底抜けた形で取り囲む底部枠材と、隣り合う底部枠材を連結するため底部枠材の外側に設けた横連結枠部と、底部枠材の内側から頂部に向かって立ち上がる３本以上からなる合掌枠材と、前記合掌枠材の頂部に設けた頂部連結枠部とからなり、複数の魚礁ブロックが、隣り合う底部枠材の横連結枠部を互いに屈曲継手部材によって連結すると共に、頂部連結枠部に他の魚礁ブロックの底部枠材の横連結枠部を屈曲継手部材によって連結するようにした屈曲可能に連結可能な魚礁ブロックを提供するものである。
【０００７】
また、請求項２に記載のように、請求項１に記載の魚礁ブロックにおいて、互いに平行する２軸を中心に屈曲可能な連結軸を有する屈曲継手部材によって連結する屈曲可能に連結可能な魚礁ブロックを提供するものである。
【０００８】
また、請求項３に記載のように、請求項１又は２に記載の魚礁ブロックにおいて、互いに直行する２軸を中心に屈曲可能な連結軸を有する屈曲継手部材によって連結する屈曲可能に連結可能な魚礁ブロックを提供するものである。
【０００９】
また、請求項４に記載のように、請求項１、２又は３に記載の魚礁ブロックにおいて、複数単位の魚礁ブロックを底部枠材を重ね合わせて積むことができるようにした屈曲可能に連結可能な魚礁ブロックを提供するものである。
【００１０】
また、請求項５に記載のように、請求項１乃至４のいずれかに記載の魚礁ブロックにおいて、単体の魚礁ブロックの底部枠材が四角形状からなり、底部枠材の４角部に、合掌枠材と横連結枠部を有する屈曲可能に連結可能な魚礁ブロックを提供するものである。
【００１１】
また、請求項６に記載のように、請求項１乃至５のいずれかに記載の魚礁ブロックにおいて、魚礁ブロックの底部枠材、合掌枠材、横連結枠部及び頂部連結枠部が鉄骨からなる屈曲可能に連結可能な魚礁ブロックを提供するものである。
【考案の効果】
【００１２】
本考案に係る屈曲可能に連結可能な魚礁ブロックによれば、実用新案登録請求の範囲の請求項１に記載のように、単体の魚礁ブロックが、底部を取り囲む底部枠材と、隣り合う底部枠材を連結するため底部枠材の外側に設けた横連結枠部と、底部枠材の内側から頂部に向かって立ち上がる３本以上からなる合掌枠材と、前記合掌枠材の頂部に設けた頂部連結枠部とからなり、複数の魚礁ブロックが、隣り合う底部枠材の横連結枠部を互いに屈曲継手部材によって連結する構成を有することにより、組立が容易であり、魚礁を設置した海底部分が傾斜し、磯などで起伏し凹凸していても、隣り合う魚礁ブロックが屈曲継手部材によって屈曲可能であるから、底部枠材を海底部分に確実に碇着することができ、安定した状態で設置することができ、また、頂部連結枠部に他の魚礁ブロックの底部枠材の横連結枠部を屈曲継手部材によって連結する構成であるから、頂部に連結した魚礁ブロックも屈曲可能に対応する効果がある。
【００１３】
また、請求項２に記載のように、請求項１に記載の魚礁ブロックにおいて、互いに平行する２軸を中心に屈曲可能な連結軸を有する屈曲継手部材によって連結する屈曲可能に連結可能な魚礁ブロックからなる構成を有することにより、平行する２軸間の上下動によって連結した横連結枠部が１軸の場合に対してそれだけ大きく屈曲可能である。
【００１４】
また、請求項３に記載のように、請求項１又は２に記載の魚礁ブロックにおいて、互いに直行する２軸を中心に屈曲可能な連結軸を有する屈曲継手部材によって連結する構成を有することにより、横連結枠部が１軸又は平行な２軸の場合に対して、互いに回転を伴って自在に屈曲可能である。
【００１５】
また、請求項４に記載のように、請求項１、２又は３に記載の魚礁ブロックにおいて、複数単位の魚礁ブロックを底部枠材を重ね合わせて積むことができるようにした構成を有することにより、工場などで組み立てた魚礁ブロックを重ね合わせて搬送することができ、魚礁施工現場に小嵩にして容易に運ぶことができる効果がある。
【００１６】
また、請求項５に記載のように、請求項１乃至４のいずれかに記載の魚礁ブロックにおいて、単体の魚礁ブロックの底部枠材が四角形状からなり、底部枠材の４角部に、合掌枠材と横連結枠部を有する構成を有することにより、単体及び組立状態で接地の安定した四角錐形状の屈曲可能に連結可能な魚礁ブロックを構成することができる。
【００１７】
また、請求項６に記載のように、請求項１乃至５のいずれかに記載の魚礁ブロックにおいて、魚礁ブロックの底部枠材、合掌枠材、横連結枠部及び頂部連結枠部が鉄骨からなる構成を有することにより、軽量で内部空間の大きい魚礁を強固に容易に屈曲可能に連結することができる効果がある。
【図面の簡単な説明】
【００１８】
【図１】本考案に係る単体の漁礁ブロックの概略構造図。
【図２】本考案に係る魚礁ブロックの第１層の連結状態を示す平面図。
【図３】連結部の一実施例を示す側面図（ａ）と平面図（ｂ）。
【図４】連結部の他の一実施例を示す側面図（ａ）と平面図（ｂ）。
【図５】別の形態の連結部の一実施例を示す概略説明図。
【図６】別の他の形態の連結部の一実施例を示す概略説明図。
【図７】本考案の魚礁ブロックの一組立状態を示す側面図。
【図８】本考案の魚礁ブロックを一組立状態で海底に沈めた状態を示す斜面図。
【図９】本考案の魚礁ブロックの一搬送状態を示す斜視図。
【図１０】本考案の魚礁ブロックの一組立作業状態を示す斜視図。
【考案を実施するための形態】
【００１９】
以下図示する実施例に基づいて本考案を詳述する。
【実施例１】
【００２０】
図１において、１０は、ほぼ四角錐形状の単体の魚礁ブロックで、底部を底抜け状態で取り囲む底部枠材１は、平行に向かい合う長さの少し異なる４本のＨ型鋼の下部フレーム１ａ、１ｂ及び１ｃ、１ｄからなる。短い下部フレーム１ａ、１ｂはやや長い下部フレーム１ｃ、１ｄの間に収まり、長い下部フレーム１ｃ、１ｄはほぼ正方形の底部枠材１から両端が僅かに突出している。その突出部は、隣り合う底部枠材１を屈曲可能に連結するため底部枠材１の外側に設けたＨ型鋼の縦枠部２ａを備えた横連結枠部２を形成している。
また、短い下部フレーム１ａ、１ｂの両端部は、長い下部フレーム１ｃ、１ｄを貫通する形でＨ型鋼の縦枠部３ａを下部フレーム１ｃ、１ｄ内に備え、隣り合う底部枠材１を屈曲可能に連結するため底部枠材１の外側に設けた他方の横連結枠部３を形成している。
【００２１】
図２に記載のように、組立現場において、隣り合う魚礁ブロック１０は、一方の長い下部フレーム１ｃ、１ｄの横連結枠部２が相対して隣り合い、他方の短い下部フレーム１ａ、１ｂの横連結枠部３も相対して隣り合うように並べられ、相対する横連結枠部２、３はそれぞれ屈曲継手部材４、５によって屈曲可能に連結される。
【００２２】
下部フレーム１ｃ又は１ｄの横連結枠部２を連結する屈曲継手部材４は、両端部に横連結枠部２の縦枠部２ａに屈曲可能に連結する屈曲連結部４ａを具備している。図３に記載の実施例の場合、屈曲継手部材４は下部フレームとほぼ同一断面のＨ型鋼からなり、そのの縦枠部４ｂの両端部の両面からは２枚の板状の連結板部４ｃを一体に突出して設けてあり、その連結板部４ｃの先端に設けた軸孔４ｄと、前記横連結枠部２の縦枠部２ａに設けた連結孔２ｂを合致するように２枚の連結板部４ｃで縦枠部２ａを挟むように嵌合して、軸孔４ｄ及び連結孔２ｂに連結軸４ｅを貫通し、連結軸４ｅが抜け落ちないように割ピン或いはナット等の軸止め手段を設けて、隣り合う下部フレーム１ｃ又は１ｄの横連結枠部２を屈曲継手部材４によって、互いに上下方向に屈曲可能に連結してある。
【００２３】
同様に、下部フレーム１ａ又は１ｂの横連結枠部３を連結する屈曲継手部材５は、両端部に横連結枠部３の縦枠部３ａに屈曲可能に連結する屈曲連結部５ａを具備している。図４に記載の実施例の場合、屈曲継手部材５は下部フレーム１ａ，１ｂとほぼ同一断面のＨ型鋼からなり、その縦枠部５ｂの両端部の両面から２枚の板状の連結板部５ｃを一体に突出して設けてあり、その連結板部５ｃの先端に設けた軸孔５ｄと、前記横連結枠部３の縦枠部３ａに設けた連結孔３ｂを合致するように２枚の連結板部５ｃで縦枠部３ａを挟むように嵌合して、軸孔５ｄ及び連結孔３ｂに連結軸５ｅを貫通し、連結軸５ｅが抜け落ちないように固定して、隣り合う下部フレーム１ａ又は１ｂの横連結枠部３を屈曲継手部材５によって、互いに上下方向に屈曲可能に連結してある。
【００２４】
この結果、、下部フレーム１ａ，１ｂ，１ｃ及び１ｄからなる底部枠材１は、４角部において、互いに屈曲可能に連結されることによって、設置される海底の傾斜や凹凸に対応して屈曲して確実に碇着し、潮流などに流され難くなる。
【実施例２】
【００２５】
なお、図５に記載のように、屈曲継手部材４の連結板部４ｃを縦枠部４ｂに固定しないで、連結軸４ｅと平行な支軸４ｆで回転自在に連結すれば、屈曲継手部材４で連結した横連結枠部２の屈曲範囲を拡大することができる。
【実施例３】
【００２６】
更に、図６に記載のように、屈曲継手部材４が、連結板部４ｃを横連結枠部２の縦枠部２ａに回転自在に連結する連結軸４ｅと直行する連結軸４ｈを、連結板部４ｃと一体な軸受枠部４ｇに回転自在に設けてある構成を具備することによって、屈曲継手部材４で連結した横連結枠部２の屈曲範囲を互いに回転を伴って自在に屈曲するように拡大することができる。
なお、図５又は図６の屈曲継手部材４の構成は、そのまま屈曲継手部材５に適用することができることは、上記の説明から明白である。
【実施例４】
【００２７】
本考案に係る魚礁ブロック１０は、前記底部枠材１の内側から頂部に向かって立ち上がる３本以上からなる合掌枠材６を備え、前記合掌枠材６の頂部には下部フレームと平行する連結枠部を有する頂部連結枠部７が設けてある。隣り合う魚礁ブロック１０の頂部連結枠部７の連結枠部７ａの間隔は、その間に第２層目の魚礁ブロック１０の長い方の下部フレーム１ｃ、１ｄの横連結枠部２を屈曲継手部材４によって連結することができる間隔に設けてある。この連結枠部７ａの構成は、横連結枠部２と同一に設けることができる。
また、頂部連結枠部７は合掌枠材６の頂部に、光学器械の三脚に設けた雲台のように、傾斜可能及び又は回転可能に設け、組み立て工事を容易にすることができる。
【００２８】
図７及び図８の実施例の場合、第１層目の縦横４列の１６体の魚礁ブロック１０の頂部連結枠部７の連結枠部７ａ間には、第２層目の縦横３列の９体の魚礁ブロック１０の長い方の下部フレーム１ｃ、１ｄの横連結枠部２を屈曲継手部材４によって連結してあり、第２層目の９体の魚礁ブロック１０の頂部連結枠部７の連結枠部７ａ間には、第３層目の縦横２列の４体の魚礁ブロック１０が屈曲継手部材４によって連結してあり、第３層目の４体の魚礁ブロック１０の頂部連結枠部７の連結枠部７ａ間には、第４層目の１体の魚礁ブロック１０が屈曲継手部材４によって連結してあり、全部で３０体の魚礁ブロック１０が全体としてピラミッド型の魚礁を形成している。
【００２９】
また、単体の魚礁ブロック１０の合掌枠材６のなす一面には、図７及び図８等に記載のように、海草付着用のメッシュ８や格子を設けることができる。
また、図９に記載のように、滑り止めのスペーサなどを介して魚礁ブロック１０を重ねて、並べてトラック等で容易に搬送することができると共に、図１０に記載のように、船上などで容易に組み立て作業をすることができる。
【符号の説明】
【００３０】
１                      底部枠材
１ａ，１ｂ，１ｃ，１ｄ  下部フレーム
２                      横連結枠部
２ａ                    縦枠部
３                      横連結枠部
３ａ                    縦枠部
４                      屈曲継手部材
４ａ                    屈曲連結部
４ｂ                    縦枠部
４ｃ                    連結板部
４ｄ                    軸孔
４ｅ                    連結軸
４ｆ                    支軸
４ｇ                    軸受枠部
４ｈ                    連結軸
５                      屈曲継手部材
５ａ                    屈曲連結部
５ｂ                    縦枠部
５ｃ                    連結板部
５ｄ                    軸孔
５ｅ                    連結軸
５ｆ                    支軸
５ｇ                    軸受枠部
５ｈ                    連結軸
６                      合掌枠材
７                      頂部連結枠部
８                      メッシュ
１０                    魚礁ブロック  
【図１】
0003181559.tif 000003
【図２】
0003181559.tif 000004
【図３】
0003181559.tif 000005
【図４】
0003181559.tif 000006
【図５】
0003181559.tif 000007
【図６】
0003181559.tif 000008
【図７】
0003181559.tif 000009
【図８】
0003181559.tif 000010
【図９】
0003181559.tif 000011
【図１０】
0003181559.tif 000012